(57)【要約】【課題】小型化し易く、且つ、組立時に端子をコネクタに確実に挿入することができる表示装置を提供する。【解決手段】基板１０と、基板１０の上に配設される保持体２０及びコネクタ３０と、保持体２０に保持されると共に、複数の端子５０が接続された表示パネル４０とを備えた表示装置１において、コネクタ３０は、上から見て表示パネル４０の外周部よりも内側に配置され、端子５０は、表示パネル４０に接続される接続部５１と、コネクタ３０に挿入される挿入部５２と、接続部５１と挿入部５２との間に形成された被押圧部５３とを有し、挿入部５２は、コネクタ３０の上方から下方に向かって延出し、被押圧部５３は、挿入部５２の延出方向と略直交する方向に延び、保持体２０は、保持体２０を基板１０に取り付ける際に被押圧部５３を下方に押圧可能な押圧部２４を有している。【選択図】図４
2016075811.tif 000002
【特許請求の範囲】
【請求項１】
基板と、
該基板の上に配設される保持体及びコネクタと、
前記保持体に保持されると共に、前記コネクタに挿入される複数の端子が接続された表示パネルとを備えた表示装置において、
前記コネクタは、
上から見て前記表示パネルの外周部よりも内側に配置され、
前記端子は、
前記表示パネルに接続される接続部と、
前記コネクタに挿入される挿入部と、
前記接続部と前記挿入部との間に形成された被押圧部とを有し、
前記挿入部は、前記コネクタの上方から下方に向かって延出し、
被押圧部は、前記挿入部の延出方向と略直交する方向に延び、
前記保持体は、
前記保持体を前記基板に取り付ける際に前記被押圧部を下方に押圧可能な押圧部を有していることを特徴とする表示装置。
【請求項２】
前記端子は、
棒状の金属部材を折り曲げて形成されていることを特徴とする請求項１に記載の表示装置。
【請求項３】
前記押圧部は、
前記被押圧部の上側となる位置に形成され、前記挿入部の延出方向と略直交する方向に沿って広がる押圧面を有していることを特徴とする請求項１又は請求項２に記載の表示装置。
【請求項４】
前記押圧面には、
前記複数の端子をそれぞれ保持する複数の保持溝が形成されていることを特徴とする請求項３に記載の表示装置。
【請求項５】
前記保持体の前記基板側の外形が、
前記保持体の前記表示パネル側の外形よりも小さくなっていることを特徴とする請求項１ないし請求項４のいずれかに記載の表示装置。
【発明の詳細な説明】
【技術分野】
【０００１】
本発明は、表示装置に関し、特に、液晶表示パネル等の表示パネルを用いた表示装置に関する。
【背景技術】
【０００２】
近年、車載電子機器等の用途に、液晶表示パネル等の表示パネルを用いた表示装置が使用されている。このような表示装置は、通常、液晶表示パネル等の表示パネルと、表示パネルを保持する保持体と、保持体が取り付けられる基板と、表示パネルと接続された複数の端子と、端子と表示パネルを駆動するための駆動回路とを接続するためのコネクタとを備えている。
【０００３】
液晶表示パネル等の表示パネルを用いた従来の表示装置に関しては、特許文献１等が開示されている。以下、従来の表示装置の構成について、図９を用いて説明する。図９は、従来の表示装置の構成を示す説明図であり、特許文献１に係るスピードメータ装置２０１（表示装置）の構成を示している。
【０００４】
特許文献１に係るスピードメータ装置２０１は、図９に示すように、積算距離表示用のＬＣＤ２０２（表示パネル）と、導光板２０５（保持体）と、車速表示用のムーブメント２０６と、コネクタ２１３が配設された配線基板２０７（基板）と、ＬＣＤ２０２等を照光するための光源２０８と、ＬＣＤ２０２と接続された複数の端子２１１とを備えている。
【０００５】
ＬＣＤ２０２は、液晶表示パネルである。導光板２０５は、ＬＣＤ２０２を保持するための部材であり、ＬＣＤホルダ部２０４と、貫通孔２０９と、支柱２１２とを有している。ムーブメント２０６は、導光板２０５の貫通孔２０９から上方に突出する指針軸２１７と、ムーブメント２０６の機構部を保護するケーシング２１８と、ケーシング２１８の対向位置に設けられた導光板支持台２１９とを有している。端子２１１は、上端部がＬＣＤ２０２の外周部付近でＬＣＤ２０２と接続されると共に、下端部が下方に延出している。コネクタ２１３は、端子２１１の下端部のほぼ真下に配置されている。
【０００６】
そして、スピードメータ装置２０１の組み立て時に、ＬＣＤ２０２が、ベゼルと呼ばれる枠部材２１５と共に導光板２０５のＬＣＤホルダ部２０４に保持される。また、ムーブメント２０６の導光板支持台２１９が配線基板２０７の略中央部に取り付けられて、ムーブメント２０６が配線基板２０７に保持される。そして、導光板２０５の支柱２１２が配線基板２０７の所定の位置に固定されると共に、ムーブメント２０６の導光板支持台２１９によって下から支持される。導光板２０５はこのようにして、ＬＣＤ２０２と共に配線基板２０７に取り付けられる。
【０００７】
また、導光板２０５が配線基板２０７に取り付けられる時に、端子２１１の上端部がＬＣＤ２０２と共に下方に押圧され、端子２１１の上端部に対する押圧力を利用して、端子２１１の下端部がコネクタ２１３に挿入される。その結果、端子２１１とコネクタ２１３とを介してＬＣＤ２０２が前述した駆動回路と接続され、各種の情報を表示できるようになる。
【先行技術文献】
【特許文献】
【０００８】
【特許文献１】特開平８−１４５７２９号公報
【発明の概要】
【発明が解決しようとする課題】
【０００９】
特許文献１に係るスピードメータ装置２０１（表示装置）では、スピードメータ装置２０１の組み立て時に、端子２１１の上端部に対する押圧力を効率良く端子２１１の下端部に伝達するために、コネクタ２１３を上から見て表示パネルの外周部付近と重なる位置に配置する必要が有った。そして、コネクタ２１３をこのような位置に配置した場合には、コネクタ２１３の取り付け位置によって配線基板２０７の小型化が制限され、それがスピードメータ装置２０１を小型化する際の阻害要因となっていた。
【００１０】
配線基板２０７を小型化するためには、例えば、上から見てＬＣＤ２０２の外周部よりも内側にコネクタ２１３を配置すると共に、端子２１１の下端部がコネクタ２１３のほぼ真上に位置するように、端子２１１の中央部を内側に屈曲させる方法が考えられる。しかしながら、このような方法では、端子２１１の上端部を下方に押圧した場合に端子２１１が座屈等の変形を起こし易くなり、端子２１１の上端部に対する押圧力を効率良く端子２１１の下端部に伝達できなくなる可能性が有った。その結果、スピードメータ装置２０１の組み立て時に、端子２１１を確実にコネクタ２１３に挿入できなくなる可能性が有った。
【００１１】
本発明は、このような従来技術の実情に鑑みてなされたもので、その目的は、小型化し易く、且つ、組み立て時に端子をコネクタに確実に挿入することができる表示装置を提供することにある。
【課題を解決するための手段】
【００１２】
この課題を解決するために、請求項１に記載の表示装置は、基板と、該基板の上に配設される保持体及びコネクタと、前記保持体に保持されると共に、前記コネクタに挿入される複数の端子が接続された表示パネルとを備えた表示装置において、前記コネクタは、上から見て前記表示パネルの外周部よりも内側に配置され、前記端子は、前記表示パネルに接続される接続部と、前記コネクタに挿入される挿入部と、前記接続部と前記挿入部との間に形成された被押圧部とを有し、前記挿入部は、前記コネクタの上方から下方に向かって延出し、被押圧部は、前記挿入部の延出方向と略直交する方向に延び、前記保持体は、前記保持体を前記基板に取り付ける際に前記被押圧部を下方に押圧可能な押圧部を有していることを特徴とする。
【００１３】
この構成の表示装置では、コネクタを、上から見て表示パネルの外周部よりも内側に配置することによって、基板を小型化し易くなる。しかも、端子の接続部と挿入部との間に形成された被押圧部を保持体の押圧部が押圧することによって、端子のより挿入部に近い場所を押圧することができ、それによって、押圧力を端子の挿入部により効率良く伝達することができると共に、押圧力による端子の変形を抑制し易くなる。その結果、端子をコネクタに確実に挿入することができるようになる。
【００１４】
請求項２に記載の表示装置は、前記端子は、棒状の金属部材を折り曲げて形成されていることを特徴とする。
【００１５】
この構成の表示装置では、棒状の金属部材を折り曲げるだけで簡単に端子を形成することができ、端子の加工が容易である。また、端子の挿入部と被押圧部とが略直交しているので、被押圧部を押圧し易くなると共に、被押圧部に加えられた押圧力を挿入部に伝え易くなる。
【００１６】
請求項３に記載の表示装置は、前記押圧部は、前記被押圧部の上側となる位置に形成され、前記挿入部の延出方向と略直交する方向に沿って広がる押圧面を有していることを特徴とする。
【００１７】
この構成の表示装置では、押圧部は、挿入部の延出方向と略直交する方向に沿って広がる押圧面を有しているので、端子の被押圧部を挿入部の延出方向に沿って安定して押圧することができる。
【００１８】
請求項４に記載の表示装置は、前記押圧面には、前記複数の端子をそれぞれ保持する複数の保持溝が形成されていることを特徴とする。
【００１９】
この構成の表示装置では、保持溝が端子を保持することによって、保持体の押圧部が端子の被押圧部を押圧する際の端子の位置ずれを防止することができ、それによって、端子の変形を更に起き難くすることができる。その結果、端子をコネクタに更に確実に挿入することができるようになる。
【００２０】
請求項５に記載の表示装置は、前記保持体の前記基板側の外形が、前記保持体の前記表示パネル側の外形よりも小さくなっていることを特徴とする。
【００２１】
この構成の表示装置では、保持体の基板側の外形が、保持体の表示パネル側の外形よりも小さくなっているので、上から見て表示パネルの外周部よりも内側にコネクタを配置し易くなる。しかも、保持体の表示パネル側の外形を、保持体の基板側の外形よりも大きくできるので、表示パネルの外形を大きくしても、表示パネルを安定して保持することができる。
【発明の効果】
【００２２】
本発明によれば、小型化し易く、且つ、組み立て時に端子をコネクタに確実に挿入することができる表示装置を提供することができる。
【図面の簡単な説明】
【００２３】
【図１】本発明の第１実施形態に係る表示装置の斜視図である。
【図２】本発明の第１実施形態に係る表示装置の分解斜視図である。
【図３】本発明の第１実施形態に係る表示装置の上面図及び正面図である。
【図４】本発明の第１実施形態に係る表示装置の側面図である。
【図５】本発明の第１実施形態に係る表示装置の組み立て方法を示す第１の説明図である。
【図６】本発明の第１実施形態に係る表示装置の組み立て方法を示す第２の説明図である。
【図７】本発明の第２実施形態に係る表示装置の正面図及び側面図である。
【図８】本発明の第２実施形態に係る押圧部の構造を示す説明図である。
【図９】従来の表示装置の構成を示す説明図である。
【発明を実施するための形態】
【００２４】
［第１実施形態］
以下、本発明の第１実施形態について図面を参照しながら説明する。尚、各図における方向は、Ｘ１を左、Ｘ２を右、Ｙ１を前、Ｙ２を後、Ｚ１を上、Ｚ２を下とする。
【００２５】
まず、本発明の第１実施形態に係る表示装置１の構成について、図１ないし図４を用いて説明する。図１は、本発明の第１実施形態に係る表示装置の斜視図である。図２は、本発明の第１実施形態に係る表示装置の分解斜視図である。図３は、本発明の第１実施形態に係る表示装置の上面図及び正面図である。図３（ａ）は表示装置１の上面図であり、図３（ｂ）は表示装置１の正面図である。
【００２６】
図４は、本発明の第１実施形態に係る表示装置の側面図であり、表示装置１を左から見た場合の側面図となっている。図４（ａ）は、表示装置１の構成を示す側面図であり、図４（ｂ）は、保持体２０の上端部２１側の長さと、保持体２０の下端部２２側の長さと、コネクタ３０の長さと、表示パネル４０の長さとを示す側面図である。図４（ｂ）において、Ｌ１は保持体２０の上端部２１側の前後方向の長さ（以下、保持体２０の上端部２１側の長さと略称）であり、Ｌ２は保持体２０の下端部２２側の前後方向の長さ（以下、保持体２０の下端部２２側の長さと略称）であり、Ｌ３はコネクタ３０の前後方向の長さ（以下、コネクタ３０の長さと略称）であり、Ｌ４は表示パネル４０の前後方向の長さ（以下、表示パネル４０の長さと略称）である。
【００２７】
本発明の第１実施形態に係る表示装置１は、車載電子機器等の用途に使用される表示装置である。表示装置１は、図１ないし図４に示すように、基板１０と、保持体２０と、コネクタ３０と、表示パネル４０と、複数の端子５０とを備えている。
【００２８】
基板１０は、図１ないし図４に示すように、略長方形の上面１１と下面１２とを有する配線基板である。基板１０の上面１１には、保持体２０とコネクタ３０とが配設される。また、基板１０の、保持体２０と対応する位置には貫通孔１３が形成され、コネクタ３０と対応する位置には貫通孔１４が形成されている。また、基板１０には、図示しない電子部品等が実装されて、表示パネル４０を駆動するための図示しない駆動回路を構成している。
【００２９】
保持体２０は、表示パネル４０を保持するための部材であり、合成樹脂等の材質でできている。保持体２０は、図１ないし図４に示すように、略直方体の部材の一部を切り欠いたような外形をしており、上端部２１と下端部２２とを有している。保持体２０の上端部２１側には、表示パネル４０を保持するための切り欠き部である保持部２３が形成されている。保持体２０の下端部２２側が、基板１０の上面１１の所定の位置に取り付けられている。また、保持体２０には、図示しない光源からの光を表示パネル４０の下側に導くための、図示しない導光部が形成されている。
【００３０】
また、図２に示すように、保持体２０の下端部２２の所定の位置には、下方に突出する位置決め用凸部２６が設けられ、基板１０の位置決め用凸部２６と対応する位置には貫通孔１３が形成されている。そして、位置決め用凸部２６は、図３及び図４に示すように、貫通孔１３を貫通して基板１０の下方に突出している。保持体２０は、このようにして、基板１０の上面側の所定の位置に位置決めされ、そして、基板１０に保持されている。
【００３１】
尚、図４に示すように、保持体２０の前部の下端部２２側は、後方に凹んでおり、保持体２０の下端部２２側の長さＬ２は、保持体２０の上端部２１側の長さＬ１よりも小さくなっている。
【００３２】
コネクタ３０は、端子５０と前述した駆動回路とを接続するためのコネクタである。コネクタ３０は、図１ないし図４に示すように、略直方体の外形をしており、コネクタ３０の上端部には、複数の端子５０とそれぞれ対応する複数の挿入孔３１が形成されている。コネクタ３０は、基板１０の上面１１の、保持体２０の下端部２２の前方となる位置に、保持体２０の下端部２２と隣接するように実装されている。
【００３３】
また、図２に示すように、コネクタ３０の下端部の所定の位置には、下方に突出する外部接続用端子３２が設けられ、基板１０の外部接続用端子３２と対応する位置には貫通孔１４が形成されている。そして、外部接続用端子３２は、図３及び図４に示すように、貫通孔１４を貫通して基板１０の下方に突出している。外部接続用端子３２の下端部は、図示しない配線等を介して前述した駆動回路と接続されている。
【００３４】
尚、図４に示すように、コネクタ３０の長さＬ３は、保持体２０の上端部２１側の長さＬ１から保持体２０の下端部２２側の長さＬ２を差し引いた寸法よりも小さくなっている。そのため、コネクタ３０を前述した位置に実装することによって、コネクタ３０が、上から見て保持体２０の上端部２１側の外形よりも内側に位置するようになる。
【００３５】
表示パネル４０は、略直方体の板状の液晶表示パネルである。表示パネル４０は、図１ないし図４に示すように、各種の情報を表示するための略長方形の表示画面４１と、表示画面４１を取り囲む外周部４２とを有している。そして、表示パネル４０は、外周部４２が保持体２０の保持部２３に嵌め込まれ、外周部４２の前端部が保持体２０の上端部２１から前方に突出するようにして保持体２０の上端部２１側に保持されている。また、外周部４２の前端部には、複数の端子５０とそれぞれ対応する複数の接続電極部４３が形成されている。そして、接続電極部４３には、表示パネル４０と端子５０とを接続するための図示しない接続用の電極が形成されている。
【００３６】
尚、図４に示すように、表示パネル４０の長さＬ４は、コネクタ３０の長さＬ３よりも大きくなっている。そのため、表示パネル４０が前述したように保持体２０に保持されることによって、コネクタ３０が、上から見て表示パネル４０の外形よりも内側に位置するようになる。
【００３７】
端子５０は、コネクタ３０と表示パネル４０とを接続するための端子である。端子５０は、図１ないし図４に示すように、表示パネル４０と接続される接続部５１と、コネクタ３０に挿入される挿入部５２と、接続部５１と挿入部５２との間に形成された被押圧部５３とを有している。
【００３８】
接続部５１は、上端部が表示パネル４０の接続電極部４３を挟み込むように固定されて前述した接続用の電極と接続されると共に、下端部側が表示パネル４０の接続電極部４３から下方に延出している。挿入部５２は、コネクタ３０の挿入孔３１の上方から下方に向かって延出している。被押圧部５３は、挿入部５２の上端部から前方（挿入部５２の延出方向と直交する方向）に延び、接続部５１の下端部と繋がっている。このような端子５０は、一方の端部（接続部５１の上端部となる部分）が所定の形状に加工された細長い棒状の金属部材を所定の形状に曲げ加工して得られる。
【００３９】
尚、保持体２０には、図１ないし図４に示すように、組み立て時に端子５０の被押圧部５３を押圧するための押圧部２４が形成されている。本実施形態では、押圧部２４は、被押圧部５３の上方となる位置に形成され、水平方向（端子５０の挿入部５２の延長方向と直交する方向）に沿って、被押圧部５３と接するように広がる平面である。以下、押圧部２４となるこの平面を押圧面２５と略称する。押圧部２４をこのような押圧面２５とすることによって、組み立て時に端子５０の挿入部５２をコネクタ３０の挿入孔３１に挿入する際に、被押圧部５３を下方に押圧することができるようになる。表示装置１は、このような構成となっている。
【００４０】
次に、表示装置１の組み立て方法について、図５及び図６を用いて説明する。図５は、本発明の第１実施形態に係る表示装置の組み立て方法を示す第１の説明図である。図５（ａ）は、端子５０の表示パネル４０への取り付け方法を示し、図５（ｂ）は、表示パネル４０の保持体２０への取り付け方法を示し、図５（ｃ）は、表示パネル４０が保持体２０に取り付けられた状態を示している。図６は、本発明の第１実施形態に係る表示装置の組み立て方法を示す第２の説明図である。図６（ａ）は、コネクタ３０の基板１０への取り付け方法を示し、図６（ｂ）は、保持体２０の基板１０への取り付け方法を示し、図６（ｃ）は、コネクタ３０と保持体２０とが基板１０に取り付けられた状態を示している。
【００４１】
まず、図５（ａ）に示すように、端子５０が表示パネル４０に取り付けられる。そして、端子５０の接続部５１が表示パネル４０の接続電極部４３に固定されると共に、前述した接続用の電極と接続される。次に、図５（ｂ）に示すように、表示パネル４０が保持体２０に取り付けられる。表示パネル４０は、外周部４２が保持体２０の保持部２３に嵌め込まれて、端子５０と共に保持体２０に保持される。そして、図５（ｃ）に示すように、表示パネル４０が端子５０と共に保持体２０に保持されることによって、端子５０の被押圧部５３が保持体２０の押圧部２４の下側に位置し、押圧面２５と接するようになる。尚、端子５０の接続部５１を表示パネル４０の接続電極部４３に固定する方法や、表示パネル４０の外周部４２を保持体２０の保持部２３に保持する方法は公知なので、詳細な説明は省略する。
【００４２】
次に、図６（ａ）に示すように、コネクタ３０が基板１０の上面１１の所定の位置に実装されて、基板１０に保持される。尚、コネクタ３０の外部接続用端子３２は、基板１０の貫通孔１４を貫通して基板１０の下方に突出すると共に、前述した駆動回路と接続される。次に、図６（ｂ）に示すように、保持体２０の位置決め用凸部２６が基板１０の貫通孔１３に挿入され、保持体２０が基板１０の上面１１の所定の位置に取り付けられる。そして、保持体２０が表示パネル４０及び端子５０と共に基板１０に保持される。保持体２０とコネクタ３０とがこのように基板１０に取り付けられることによって、保持体２０の下端部２２とコネクタ３０とが互いに前後に隣接するようになり、コネクタ３０が、上から見て表示パネル４０の外周部４２よりも内側に位置するようになる。
【００４３】
また、保持体２０を基板１０に取り付ける際に、端子５０の被押圧部５３が保持体２０の押圧部２４によって下方に押圧され、端子５０の挿入部５２がコネクタ３０の上からコネクタ３０の挿入孔３１に挿入される。その結果、表示パネル４０が、端子５０とコネクタ３０とを介して前述した駆動回路と接続され、駆動回路に駆動されて各種の情報を表示できるようになる。表示装置１は、このようにして組み立てられる。
【００４４】
次に、本実施形態の効果について説明する。本実施形態の表示装置１では、コネクタ３０を、上から見て表示パネル４０の外周部４２よりも内側に配置することによって、基板１０を小型化し易くなる。しかも、端子５０の接続部５１と挿入部５２との間に形成された被押圧部５３を保持体２０の押圧部２４が押圧することによって、端子５０のより挿入部５２に近い場所を押圧することができ、それによって、押圧力を端子５０の挿入部５２により効率良く伝達することができると共に、押圧力による端子５０の変形を抑制し易くなる。その結果、端子５０をコネクタ３０に確実に挿入することができるようになる。
【００４５】
また、本実施形態の表示装置１では、棒状の金属部材を折り曲げるだけで簡単に端子５０を形成することができ、端子５０の加工が容易である。また、端子５０の挿入部５２と被押圧部５３とが直交しているので、被押圧部５３を押圧し易くなると共に、被押圧部５３に加えられた押圧力を挿入部５２に伝え易くなる。
【００４６】
また、本実施形態の表示装置１では、保持体２０の押圧部２４は、水平方向（端子５０の挿入部５２の延出方向と直交する方向）に広がる押圧面２５を有しているので、端子５０の被押圧部５３を下方（挿入部５２の延出方向）に沿って安定して押圧することができる。
【００４７】
また、本実施形態の表示装置１では、保持体２０の下端部２２側の長さＬ２（基板１０側の外形）が、保持体２０の上端部２１側の長さＬ１（表示パネル４０側の外形）よりも小さくなっているので、上から見て表示パネル４０の外周部４２よりも内側にコネクタ３０を配置し易くなる。しかも、保持体２０の上端部２１側の長さＬ１を、保持体２０の下端部２２側の長さＬ２よりも大きくできるので、表示パネル４０の外形を大きくしても、表示パネル４０を安定して保持することができる。
【００４８】
［第２実施形態］
以下、本発明の第２実施形態について図面を参照しながら説明する。尚、本実施形態において、前述した第１実施形態と同一の構成である場合、同一符号を付して詳細な説明は省略する。
【００４９】
まず、本発明の第１実施形態に係る表示装置１の構成について、図７及び図８を用いて説明する。図７は、本発明の第２実施形態に係る表示装置の正面図及び側面図である。図７（ａ）は表示装置１０１の正面図であり、図７（ｂ）は表示装置１０１を左から見た場合の側面図である。図８は、本発明の第２実施形態に係る押圧部の構造を示す説明図である。図８（ａ）は、表示装置１０１を正面から見た場合の押圧部２４の構造を示し、図８（ｂ）は、表示装置１０１を左から見た場合の押圧部２４の構造を示している。
【００５０】
本発明の第２実施形態に係る表示装置１０１は、図７に示すように、基板１０と、保持体２０と、コネクタ３０と、表示パネル４０と、複数の端子５０とを備え、第１実施形態と同様の構成となっている。但し、本実施形態では、保持体２０の押圧部２４の構造が、第１実施形態と異なる。
【００５１】
本実施形態では、図７及び図８に示すように、押圧部２４の押圧面２５には、複数の端子５０をそれぞれ保持する複数の保持溝１２６が形成されている。複数の保持溝１２６は、左右方向に沿って互いに等間隔に並べて配置されている。そして、それぞれの保持溝１２６は、押圧面２５から上方に凹となり、前後方向（端子５０の被押圧部５３の延長方向）に沿って延びている。
【００５２】
そして、組み立て時に表示パネル４０が端子５０と共に保持体２０に取り付けられる際に、端子５０の被押圧部５３が、保持体２０の押圧部２４の保持溝１２６に前から嵌め込まれて保持溝１２６に保持される。そして、保持体２０が表示パネル４０及び端子５０と共に基板１０に取り付けられる際に、端子５０の被押圧部５３が保持溝１２６に保持された状態で、端子５０の挿入部５２がコネクタ３０の挿入孔３１に挿入される。
【００５３】
次に、本実施形態の効果について説明する。尚、本実施形態では、第１実施形態と異なる効果についてのみ説明する。本実施形態の表示装置１０１では、保持体２０の押圧部２４の保持溝１２６が端子５０を保持することによって、保持体２０の押圧部２４が端子５０の被押圧部５３を押圧する際の端子５０の位置ずれを防止することができ、それによって、端子５０の変形を更に起き難くすることができる。その結果、端子５０をコネクタ３０に更に確実に挿入することができるようになる。
【００５４】
以上、本発明の実施形態について説明してきたが、本発明は上記の実施形態に限定されず、本発明の目的の範囲を逸脱しない限りにおいて適宜変更することができる。
【００５５】
例えば、本発明の実施形態において、表示装置１や表示装置１０１は車載電子機器以外の用途に使用されても構わない。また、表示パネル４０は液晶表示パネルではなく、有機ＥＬ等の他の方式の表示パネルであっても構わない。
【００５６】
また、本発明の実施形態において、表示装置１や表示装置１０１の規格に合わせて、保持体２０の材質や形状等を適宜変更しても構わない。例えば、保持体２０は、上下方向に延びる円柱の下端部側の一部を切り欠いたような外形をしていても構わない。また、本実施形態では、図１に示すように、保持体２０は、表示パネル４０をほぼ水平に保持しているが、表示パネル４０を斜めに保持しても構わない。
【００５７】
また、本発明の実施形態において、表示装置１や表示装置１０１の規格に合わせて、端子５０の種類や配置を適宜変更しても構わない。例えば、端子５０の断面形状を角形状としても構わない。また、端子５０を表示パネル４０の外周部４２の左端部や右端部に取り付け、保持体２０の下端部２２側の左右方向の長さを保持体２０の上端部２１側の左右方向の長さよりも小さくして、コネクタ３０を保持体２０の左側や右側に配設しても構わない。
【００５８】
また、本発明の実施形態において、端子５０の被押圧部５３をしっかりと押圧できるのであれば、端子５０の接続部５１と被押圧部５３とは直交していなくても構わない。例えば、端子５０の接続部５１は被押圧部５３から表示パネル４０の外周部４２に向かって斜め方向に延びていても構わない。
【００５９】
また、本発明の実施形態において、端子５０の被押圧部５３をしっかりと押圧できるのであれば、端子５０の被押圧部５３は直線ではなく、被押圧部５３の一部が湾曲していても構わない。
【００６０】
また、本発明の実施形態において、端子５０の被押圧部５３をしっかりと押圧できるのであれば、保持体２０の押圧面２５は平面でなく、押圧面２５の一部が湾曲していても構わない。
【符号の説明】
【００６１】
１  表示装置
１０  基板
１１  上面
１２  下面
１３  貫通孔
１４  貫通孔
２０  保持体
２１  上端部
２２  下端部
２３  保持部
２４  押圧部
２５  押圧面
２６  位置決め用凸部
３０  コネクタ
３１  挿入孔
３２  外部接続用端子
４０  表示パネル
４１  表示画面
４２  外周部
４３  接続電極部
５０  端子
５１  接続部
５２  挿入部
５３  被押圧部
１０１  表示装置
１２６  保持溝
【図１】
2016075811.tif 000003
【図２】
2016075811.tif 000004
【図３】
2016075811.tif 000005
【図４】
2016075811.tif 000006
【図５】
2016075811.tif 000007
【図６】
2016075811.tif 000008
【図７】
2016075811.tif 000009
【図８】
2016075811.tif 000010
【図９】
2016075811.tif 000011